(57)【要約】      （修正有）【課題】被掃除面のごみが多いときは吸込室の負圧を大きくして（絶対値が大きくなる事）集塵性能を向上させ、被掃除面のごみが少ないときは吸込室の負圧を減少させて吸口体を操作する際の力（操作力），特に前後方向の操作力を軽くすることができる電気掃除機の吸口体及びこれを備えた電気掃除機を提供する。【解決手段】吸口体は、吸引したごみを検出する手段と、吸込室Ｑと、該吸込室Ｑと外部とを連通する開口部６３と、該開口部６３の開口面積を可変する手段とを有し、前記ごみを検出する手段により、ごみを検出したとき前記開口部６３の開口面積を大きくし、ごみを検出していないときは前記開口部６３の開口面積を小さくする。これにより、被掃除面Ｍのごみが多いときは吸込室Ｑの負圧を増大させて集塵性能を向上させ、被掃除面Ｍのごみが少ないときは吸込室Ｑの負圧を減少させて吸口体を前後に操作する際の力（操作力）を軽くすることができる。【選択図】図７
2017006346.tif 000002
【特許請求の範囲】
【請求項１】
吸込室と、該吸込室と外部とを連通する開口部と、吸引したごみを検出するごみ検出手段と、前記開口部の開口面積を設定する開口面積設定手段と、前記開口部の開口面積を可変する開口面積可変手段と、を有し、
前記ごみ検出手段と開口面積設定手段と前記開口面積可変手段とにより、吸引したごみの量が多いときに前記開口部の開口面積を大きく、ごみの量が少ないときは前記開口部の開口面積を小さくすることを特徴とする電気掃除機の吸口体。
【請求項２】
前記開口面積可変手段を前記吸込室の上部、もしくは前部に設けたことを特徴とする請求項１に記載の電気掃除機の吸口体。
【請求項３】
掃除機本体に電動送風機及び集塵部を備え、吸口体と前記掃除機本体の前記集塵部とを結ぶ管路とを備え、前記電動送風機によって、前記吸口体から前記集塵部に被掃除面のごみを吸引する電気掃除機において、前記吸口体は請求項１又は２に記載の電気掃除機の吸口体であることを特徴とする電気掃除機。
【発明の詳細な説明】
【技術分野】
【０００１】
本発明は、電気掃除機の吸口体及びこれを備えた電気掃除機に関する。
【背景技術】
【０００２】
本技術分野の背景技術として、特開2010-022745号公報（特許文献１）がある。この公報には、ホースに、吸引した塵埃の量と大きさを検知する塵埃検知手段を備え、吸込具には、電動送風機による吸引風により浮遊ごみを吸引する空気取り入れ口と、空気取り入れ口の開口面積を変える電動フラップを備えており、電動フラップは、開口面積設定手段が設定した開口面積に応じて動作し、舞い上がりやすい塵埃が多いときには、空気取り入れ口の開口面積をより広げて、より多量の空気を吸引しながら高く舞い上がった塵埃を吸引し、逆に塵埃が少ない、または大きなごみである場合は、電動フラップを空気取り入れ口の開口面積が小さくなる方向へ動作させる事が記載されている。
【０００３】
また、特開2009-261431号公報（特許文献２）には、吸口体の上部に、吸気口の開口面積を調整する可撓性を有するフラップが設けられていることが記載されている。フラップは、回転清掃体室の負圧の大きさによって撓む構造となっている。掃除機使用者がじゅうたんを掃除すると、本体の吸引力により吸口体がじゅうたんに沈み込み、被掃除面との間にできる隙間が小さくなり、回転清掃体室の負圧が高くなる。すると、フラップが吸い寄せられて撓み、閉じていた吸気口が開き、外部からの空気が流れ込み、回転清掃体室の負圧が減少する。これにより、じゅうたんと吸口体との吸着が緩和され、軽快操作が行える事が記載されている。
【先行技術文献】
【特許文献】
【０００４】
【特許文献１】特開2010-022745号公報
【特許文献２】特開2009-261431号公報
【発明の概要】
【発明が解決しようとする課題】
【０００５】
しかしながら特許文献１に記載の吸込口体は、塵埃が多いときに、空気取り入れ口の開口面積をより広げるため、回転清掃体室の負圧（ゲージ圧で大気圧より低い圧力の事）が小さくなり（絶対値が小さくなる事）、被掃除面の集塵性能が低下する恐れがある。また、塵埃検知手段がホースに設けられているため、開口面積設定手段が掃除機本体に設けられている場合、それらの間でデータの通信を行う必要があり、ホースや延長管に通信配線が必要になるという課題があった。
【０００６】
また、特許文献２に記載の吸口体も、じゅうたんを掃除する時に、フラップが吸い寄せられて撓み、閉じていた吸気口が開き、外部からの空気が流れ込み、回転清掃体室の負圧が小さくなるため、被掃除面の集塵性能が低下する恐れがあった。
【０００７】
本発明の目的は、被掃除面の塵埃が多いときは吸込室の負圧を大きくして（絶対値が大きくなる事）集塵性能を向上させ、被掃除面の塵埃が少ないときは吸込室の負圧を減少させて吸口体を操作する際の力（操作力），特に前後方向の操作力を軽くすることができる電気掃除機の吸口体及びこれを備えた電気掃除機を提供することである。
【課題を解決するための手段】
【０００８】
掃除機本体に電動送風機及び集塵部を備え、吸口体と前記掃除機本体の前記集塵部とを結ぶ管路を備え、前記電動送風機によって、前記吸口体から前記集塵部に被掃除面のごみを吸引する電気掃除機において、前記吸口体は、吸込室と、該吸込室と外部とを連通する開口部と、吸引したごみを検出するごみ検出手段と、前記開口部の開口面積を設定する開口面積設定手段と、前記開口部の開口面積を可変する開口面積可変手段と、を設け、前記開口面積設定手段と前記開口面積可変手段は、前記ごみ検出手段の検出結果に応じて、ごみの量が多いときには前記開口部の面積を小さくし、ごみの量が少ないときには前記開口部の面積を大きくすることを特徴とする。
【発明の効果】
【０００９】
本発明によれば、被掃除面のごみが多いときは吸込室の負圧を大きくして集塵性能を向上させ、被掃除面のごみが少ないときは吸込室の負圧を現象させて吸口体を操作する際の力（操作力），特に前後方向の操作力を軽くすることができる。  さらに、吸口体内に、ごみ検出手段と、開口面積設定手段と、開口面積可変手段とを有しているために、ごみ検出手段の出力に応じて、ごみの量が多いときには該開口部の面積を小さくし、ごみの量が少ないときには該開口部の面積を大きくするという制御を吸口体内だけで行うことができ、掃除機本体との間でデータの通信を行う必要がなく、ホースや延長管に通信配線を設ける必要がないという効果もある。
【図面の簡単な説明】
【００１０】
【図１】本発明に係る電気掃除機の全体を示す外観斜視図である。
【図２】実施形態例１の吸口体の上面図である。
【図３】実施形態例１の吸口体の底面図である。
【図４】実施形態例１の吸口体の分解斜視図である。
【図５】図２に記載の吸口体のＢ−Ｂ断面図である。
【図６】図２に記載の吸口体のＢ−Ｂ断面図である。
【図７】図２に記載の吸口体のＡ−Ａ断面図である。
【図８】図２に記載の吸口体のＡ−Ａ断面図である。
【図９】実施形態例２の吸口体の斜視図である。
【図１０】図９に記載の吸口体のＣ−Ｃ断面図である。
【図１１】図９に記載の吸口体のＣ−Ｃ断面図である。
【図１２】吸口体の機能ブロック図である。
【発明を実施するための形態】
【００１１】
以下、図面を参照して説明する。図示中の前後左右上下は、各図示中の表記に基づくものとする。
【００１２】
（実施形態例１）
以下、本発明に係る第１の実施形態例について図面を参照して説明する。
図１に本発明の第１の実施形態例に係る電気掃除機１の外観図を示す。電気掃除機１は、掃除機本体２と、ホース部３と接続し手元操作スイッチＳＷ等が設けられた操作管４と、伸縮自在に設けられた延長管５と、吸口体６と、を有する。
【００１３】
掃除機本体２は、吸引力を発生させる電動送風機２ａ、この電動送風機２ａの吸引力で集塵したごみ（塵埃）を収容する集塵部２ｂなどを備えている。なお、本実施形態例では、いわゆるサイクロン式の電気掃除機を例に挙げて説明するが、いわゆる紙パック式の電気掃除機に適用してもよい。
【００１４】
ホース部３の一端は、掃除機本体２の集塵部２ｂと連通するように掃除機本体２の接続口２ｃに接続されている。また、ホース部３の他端は、操作管４の一端に接続されている。
【００１５】
操作管４は、手元操作スイッチＳＷなどを備えたハンドル４ａ、掃除機本体２から給電される図示しない給電端子などを備えている。この給電端子には、延長管５の一端に設けられる図示しない通電端子が接続される。
【００１６】
操作管４の手元操作スイッチＳＷを操作することによって、電動送風機２ａの運転と停止や強中弱の切り替え、吸口体６に設けられたモータ１５（図４参照）の運転と停止が可能となっている。
【００１７】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。
【００１８】
図２は、吸口体６の上面図である。
【００１９】
図２に示すように、吸口体６は、上面視において略Ｔ字形状を呈する吸口ケース１０と、吸口ケース１０に連結される吸口継手１３とを備えている。
【００２０】
吸口ケース１０は、上面視において、左右方向（幅方向）に細長く形成された吸口本体１１と、吸口本体１１の左右方向の中央部に吸口継手１３と連結される連結部１２とを備えている。連結部１２には、吸口本体１１と吸口継手１３とを連通させる流路Ｒ（図３参照）が形成されている。
【００２１】
吸口本体１１には、前端面から左右側面にかけてバンパ１１ａが設けられている。バンパ１１ａは、ゴムやエラストマー等の弾性材料から形成されており、使用時に吸口本体１１内の気密を確保するとともに、電気掃除機１（図１参照）の使用時に吸口本体１１が家具等に衝突した際に、当該家具等への傷付き防止と吸口本体１１への衝撃を吸収する緩衝材の役割を果たしている。
【００２２】
吸口継手１３は、連結部１２に対して回動自在に連結される第１連結部１４と、この第１連結部１４に対して回動自在に連結される第２連結部１５とを備えている。
【００２３】
第１連結部１４は、図２の上面視において略半トラック形状を呈し、連結部１２と連結される円筒形状の軸１４ａを有している。この軸１４ａは、軸方向が吸口本体１１の左右方向と平行であって、軸１４ａの両端部が連結部１２に形成された軸受部１２ｇ（図４参照）に支持されている。また、第１連結部１４は、被掃除面（清掃面）Ｍ（図６参照）に対して略平行な状態から略垂直な状態まで（上下方向に）回動可能となるように構成されている。すなわち、第１連結部１４を吸口ケース１０に対して軸１４ａを支点として回動させることによって、延長管５（図１参照）を被掃除面Ｍ（図６参照）に略平行な状態と略垂直な状態との間において回動させることができる。
【００２４】
第２連結部１５は、第１連結部１４に対して吸口本体１１の左右方向に（図２の紙面時計回り方向および反時計回り方向に）回動可能となるように構成されている。これにより、例えば、延長管５を被掃除面Ｍに対して略垂直にした状態から、延長管５を被掃除面Ｍに略平行な状態に向けて倒すことができる。
【００２５】
また、第２連結部１５には、給電が行われる給電端子１５ａが設けられている。なお、本実施形態例の電気掃除機１（図１参照）では、吸口体６に給電する電力を、掃除機本体２からホース部３、操作管４、延長管５を通じて供給するように構成している。
【００２６】
このような吸口継手１３は、例えば延長管５（図１参照）を被掃除面Ｍに対して略垂直とした状態において、その延長管５を左右方向（左右方向）に倒して、操作管４（グリップ４ａ）を左右方向のいずれかにねじることで、吸口本体１１を左右方向のいずれかに略９０度回転させ、吸口本体１１の左右方向を移動方向にした掃除が可能である。したがって、壁際に沿って吸口体６を移動させて掃除したり、狭い隙間に吸口体６を挿入したりして掃除することが可能になる。
【００２７】
図３は、吸口体６の下面図である。
【００２８】
図３に示すように、吸口体６は、第１回転清掃体２０、第２回転清掃体３０を備えている。吸口ケース１０（吸口本体１１）には、下面（清掃面に対峙する面）に、開口部を有する吸込室Ｑが形成されている。
【００２９】
第１回転清掃体２０は、第１回転清掃体２０の軸２１の軸方向が吸口本体１１の左右方向と平行となるように、吸口本体１１の左右方向に沿って前後方向の前側に配置され、吸込室Ｑ内で回転可能に支持されている。また、第１回転清掃体２０は、吸口本体１１の左右方向（第１回転清掃体２０の軸方向）の一端側から他端側まで連続して設けられている。
【００３０】
また、第１回転清掃体２０は、硬さが異なるブラシなど複数種類のブラシ２０ａ、２０ｂ、２０ｃを備え、各ブラシ２０ａ、２０ｂ、２０ｃがらせん状に配設されている。なお、本実施形態では、３種類のブラシ２０ａ、２０ｂ、２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる。なお、第１回転清掃体２０は、電動機４０によって駆動されるものである。
【００３１】
第２回転清掃体３０は、第１回転清掃体２０の直径よりも小径で、刷毛体により覆われていて、第１回転清掃体２０に対して後方且つ平行に配置されている。また、第２回転清掃体３０は、吸口本体１１の左右方向の一端側から他端側にかけて連続して設けられている。
【００３２】
また、第２回転清掃体３０は、第１回転清掃体２０の回転軸２１と平行な軸部３０ａ（軸）を有し、軸部３０ａが吸口ケース１０（吸口本体１１）に回転可能に支持されている。なお、第２回転清掃体３０は、電動機４０によって駆動されるものではなく、吸口体６を移動させたときの被掃除面Ｍ（図６参照）との摩擦力によって回転するように構成されたものである。このように、第２回転清掃体３０は、軸部３０ａを介して吸口本体１１に支持されるものであるので、第２回転清掃体３０の構成を簡略化することができる。
【００３３】
吸口体６は、吸口ケース１０の連結部１２の下面に、ブラシ駆動スイッチ１６、車輪１７、軸受押え部材３１、３２を備えている。
【００３４】
ブラシ駆動スイッチ１６は、吸口体６の下面が被掃除面Ｍ（清掃面）に接触しているか否かを検出するスイッチであり、車輪１６ａとともに構成されている。この車輪１６ａは、ばね等の付勢手段によって常に吸口ケース１０（連結部１２）の下面から一部が突出するように設けられている。そして、車輪１６ａが吸口ケース１０から飛び出して被掃除面Ｍと接触していないと検出されたときには、後記する回路基板５０（制御基板）の制御によって電動機４０の駆動が停止され、第１回転清掃体２０の回転が停止する。また、車輪１６ａが押し込まれて被掃除面Ｍと接触していると検出されたときには、回路基板５０の制御によって電動機４０が駆動され、第１回転清掃体２０が回転することができる。
【００３５】
車輪１７は、操作管４で操作される前後動や回転操作の応力を受けて吸口体６の底面を被掃除面（清掃面）に密着させ、これにより吸口体６の操作性能を向上する役割を有している。
【００３６】
軸受押え部材３１は、第１回転清掃体２０の回転軸および第２回転清掃体３０の軸部３０ａの一端を支持するものであり、吸口ケース１０にねじを用いて固定されている。
【００３７】
軸受押え部材３２は、第１回転清掃体２０の回転軸および第２回転清掃体３０の軸部３０ａの他端を支持するものであり、取り外し可能となるように吸口ケース１０にロック機構（図示せず）を用いて固定されている。
【００３８】
図４は、吸口体６の内部構成を示す分解斜視図である。
【００３９】
図４に示すように、吸口体６は、第１回転清掃体２０（図３参照）および第２回転清掃体３０（図３参照）の上方に、第１回転清掃体２０を駆動する電動機４０および電動機４０を制御する回路基板５０を備えている。
【００４０】
電動機４０は、吸口本体１１における左右方向の一方側に取り付けられている。また、電動機４０は、その出力軸が吸口本体１１の左右方向と平行に配置されている。また、電動機４０の出力軸は、左右方向の一端側に向けて延び、吸口本体１１内の一端部（図示右側の端部）において、歯付きベルト４１を介して第１回転清掃体２０と連結されている。
【００４１】
吸引したごみを検出するごみ検出手段を構成する赤外線発光素子６０と赤外線受光素子６１は、流路Ｒ（図３参照）を挟んで直線上に対向して配置されている（図４参照）。流路内をごみが通過すると、赤外線発光素子６０から放射された赤外線がごみに遮られて、赤外線受光素子６１が受光する赤外線の量が減少する。ごみの量が多いほど、一定時間に赤外線が遮られる回数が多くなるので、この回数よりごみの量が判断できる。さらにごみの大きさが大きいほど、より長い時間赤外線が遮られるので、この時間を計測することにより、吸引したごみの大きさを検出することができる。
【００４２】
開口部６３は、吸込室Ｑと吸口本体１１の外部を連通する開口である。６４は開口面積可変手段としてのフラップである。６７はフラップ６４を回動させるためのソレノイド、６７ａはソレノイド６７のプランジャー（可動鉄心）、６５はフラップ６４に連結され、フラップ６４を回転軸６４ａを中心に回転させるためのレバー、６６はプランジャー６７ａとレバー６５を連結するためのフックである。
【００４３】
回路基板５０は、吸口本体１１の左右方向で電動機４０とは反対側に取り付けられている。また、回路基板５０は、長辺が左右方向に沿って配置された長方形状の基板を有し、実装面が鉛直方向上向きの状態で吸口本体１１内に配置されている。なお、実装面は、必ずしも鉛直方向上向きに限定されず、水平方向に対して傾斜してもよく、前後方向を向くように（縦向きに）してもよい。 
回路基板５０は、電動機４０の駆動制御と、開口面積の設定制御と、開口面積の可変制御と、を行う。つまり、回路基板５０は、開口部６３の開口面積の設定制御をおこなう開口面積設定手段としての役割を果たす。図１２に吸口体６の機能ブロック図を示す。図１２において、９０はマイクロコンピュータ、９１はＡＣ（交流）をＤＣ（直流）に変換する電源回路、９２はソレノイド６７を駆動する駆動回路である。開口面積の設定制御は、具体的にはマイクロコンピュータ９０が行い、赤外線受光素子６１が受光した赤外線により、吸引したごみの量を判断する。そして、ごみの量が多いときには開口部６３の開口面積を小さく（または全閉に）、ごみの量が少ないときには開口部６３の開口面積を大きく設定する。
【００４４】
開口面積の可変制御もマイクロコンピュータ９０が行う。開口面積の可変制御は、開口面積の設定制御が設定した開口面積に応じて、ソレノイド６７を駆動して、フラップ６４を回動させ、開口部６３の開口面積を可変する制御を行う。つまり、フラップ６４が開口部の開口面積を設定する開口面積設定手段としての役割を果たす。
【００４５】
図５は、図２におけるＢ−Ｂ断面図であり、ごみ検出手段がごみを検出していないもしくは少ない場合を示す。このとき、ソレノイド６７は通電されておらず、ばね（図示せず）の弾性により、フラップ６４は回動軸６４ａを中心に矢印６４ｂの方向へ付勢される。
【００４６】
図６は、図２におけるＢ−Ｂ断面図であり、ごみ検出手段が多い量のごみを
検出した場合を示す。このとき、ソレノイド６７は回路基板５０により通電され、ばね（図示せず）の弾性に打ち勝ってプランジャー６７ａがソレノイド６７内へ吸引され、これに接続されたフック６６によりレバー６５を引っ張る。これによりフラップ６４は、回動軸６４ａを中心に矢印６４ｃの方向へ回転する。
【００４７】
図７は、図２におけるＡ−Ａ断面図であり、ごみ検出手段がごみを検出していない場合を示す。このとき、ソレノイド６７は通電されておらず、ばね（図示せず）の弾性により、フラップ６４は回動軸６４ａを中心に矢印６４ｂの方向へ付勢される。これにより、開口部６３は開口され、吸口本体１１の外部から吸込室Ｑへ空気が流入する（矢印７０）。これにより、吸込室Ｑの負圧が小さくなるため、操作力が低下し、使用者は、軽快な吸口操作を行うことができる。なお、負圧が大きい時は大気圧と吸込室Ｑとの差圧が大きい事を意味し、吸口体が被掃除面に吸い付いて操作力が大きくなり、逆に負圧小さい時は大気圧と吸込室Ｑとの差圧が小さい事を意味し、吸口体の被掃除面に対する吸い付きが小さくなり、操作力が小さくなる。  
図８は、図２におけるＡ−Ａ断面図であり、ごみ検出手段が多い量のごみを
検出した場合を示す。このとき、ソレノイド６７は回路基板５０により通電され、ばね（図示せず）の弾性に打ち勝ってプランジャー６７ａがソレノイド６７内へ吸引され、これに接続されたフック６６によりレバー６５を引っ張る。これによりフラップ６４は、回動軸６４ａを中心に矢印６４ｃの方向へ回転する。これにより、開口部６３は閉じられ、吸込室Ｑの負圧が上昇し、被掃除面上のごみをより集塵しやすくなる。
【００４８】
このように本実施形態例によれば、被掃除面上にごみが無いときは、吸込室Ｑの負圧が小さくなるため、操作力が低下し、使用者は、軽快な吸口操作を行うことができ、被掃除面上にごみが多いときは、吸込室Ｑの負圧が大きくなり、被掃除面上のごみをより集塵しやすくなるという効果がある。とくに絨毯上の砂塵の集塵には、吸込室Ｑの負圧を大きくすることが効果的である。
【００４９】
また、被掃除面上にごみが少ないときは、操作が軽く、ごみが多いときは、被掃除面に吸い付いて被掃除面上のごみをより集塵するので、ごみの量を操作感覚で知ることができるという効果もある。
【００５０】
また、開口部６３を開口しているとき、吸口体１１上の浮遊ごみを吸引して、これをごみ検出手段が検出し、開口部６３の開口面積を小さくすることが考えられる。このとき、開口部６３の開口面積を小さくすると浮遊ごみの吸引量も減るので、ごみ検出手段がごみを検出しなくなり、開口部６３は再び開口されるので問題ないが、以下の機能を追加することより、吸口体１１上の浮遊ごみをごみ検出手段が検出し、開口部６３の開口面積が変化することはない。
【００５１】
被掃除面上のごみは、比較的粒径が大きく（例えば１００μmより大きい）、空気中の浮遊ごみは比較的粒径が小さい（例えば２０μm以上１００μm以下）ので、吸引したごみの大きさを検出することにより、被掃除面上のごみと空気中の浮遊ごみを区別することができる。これにより、ごみの量が多いときに開口面積を小さく（または全閉に）、ごみの大きさが小さいときは、ごみの量に関係なく開口面積を大きく設定する。これにより、比較的粒径が大きい被掃除面上のごみのみに反応し、比較的粒径が小さい空気中の浮遊ごみには反応しないようになり、開口部６３が開いた状態で、外部からの浮遊ごみを含んだ空気が流入しても、開口面積は変化しない。
【００５２】
（実施形態例２）
以下、本発明に係る第２の実施形態例について図面を参照して説明する。
【００５３】
図９に本発明の第２の実施形態例に係る吸口体の斜視図を示す。図９において、第１の実施形態例と同一の部分には同一の符号を付けている。図９において、８０は開口面積可変制御に応じて回動する開口面積設定手段としてのシャッター、８０ａはシャッター８０の回動軸、８１，８２は前車輪である。
【００５４】
図１０は、図９におけるＣ−Ｃ断面図であり、ごみ検出手段がごみを検出していない場合を示す。このとき、図示しない駆動手段によりシャッター８０は、回動軸８０ａを中心に矢印８０ｂの方向へ付勢される。これによりシャッター８０は、吸口体後方斜め下方向に回動する。これにより、吸口体の前方の開口部が拡大し、吸口本体１１の外部から吸込室Ｑへより多くの空気が流入する（矢印８４）。これにより、吸込室Ｑの負圧が小さくなり、操作力が低下し、使用者は、軽快な吸口操作を行うことができる。また、このとき被掃除面上の米粒程度の大きさの比較的大きなごみも吸引できるという効果もある。
【００５５】
図１１は、図９におけるＣ−Ｃ断面図であり、ごみ検出手段が比較的大きなごみを検出した場合を示す。このとき、図示しない駆動手段によりシャッター８０は、回動軸８０ａを中心に矢印８０ｃの方向へ付勢される。これによりシャッター８０は、吸口体下方向に回動する。このとき、吸口体前方の開口部は狭くなり、吸口本体１１の外部から吸込室Ｑへ流入する空気（矢印８３）の量が減少する。これにより吸込室Ｑの負圧が大きくなり、被掃除面上のごみをより集塵しやすくなる。つまり、シャッター８０が吸口体前方の開口部の開口面積を設定する開口面積設定手段としての役割を果たす。
【００５６】
このように本実施形態例によれば、被掃除面上にごみが少ないときは、吸込室Ｑの負圧が小さくなり、操作力が低下し、使用者は、軽快な吸口操作を行うことができ、被掃除面上にごみが多いときは、吸込室Ｑの負圧が大きくなるため、被掃除面上のごみをより集塵しやすくなるという効果がある。とくに絨毯上の砂塵の集塵には、吸込室Ｑの負圧を高くすることが効果的である。
【００５７】
また、被掃除面上にごみが少ないときは、操作が軽く、ごみが多いときは、被掃除面に吸い付いて被掃除面上のごみをより集塵するので、ごみの量を操作感覚で知ることができるという効果もある。
【００５８】
吸口体内に、ごみ検出手段と、開口面積設定手段と、開口面積可変手段とを有しているので、吸口体と掃除機本体との間で通信を行う必要が無く、延長管やホース内に通信のための配線を設ける必要が無いという効果もある。
【００５９】
また，シャッターが開口することにより，被掃除面上の比較的大きなごみも吸引できるという効果もある。
【００６０】
また，シャッター（開口部）を吸口体前方に設けることにより，吸口体後方上方向に位置する使用者に対して，開口部からの気流音が聞こえにくくなり，吸口体の低騒音化が図れるという効果もある。
【符号の説明】
【００６１】
１      電気掃除機
２      掃除機本体
２ａ    電動送風機
２ｂ    集塵部
６、    吸口体
１０    吸口ケース
２０    第１回転清掃体
３０    第２回転清掃体
３０ａ  軸部（軸）
４０    電動機
５０    回路基板（制御基板）
６０    赤外線発光素子  ６１    赤外線受光素子
６３    開口部
６４    フラップ
６７    ソレノイド
８０    シャッター
９０    マイクロコンピュータ
Ｍ      被掃除面（床面）
Ｑ      吸込室
【図１】
2017006346.tif 000003
【図２】
2017006346.tif 000004
【図３】
2017006346.tif 000005
【図４】
2017006346.tif 000006
【図５】
2017006346.tif 000007
【図６】
2017006346.tif 000008
【図７】
2017006346.tif 000009
【図８】
2017006346.tif 000010
【図９】
2017006346.tif 000011
【図１０】
2017006346.tif 000012
【図１１】
2017006346.tif 000013
【図１２】
2017006346.tif 000014